(57)【要約】【課題】異なる処理を実行させるためにそれぞれ割り当てられた複数のスイッチを持つ流量計において、スイッチに割り当てられた処理の実行を許可するための追加操作を、第３者によって容易に悟られないようにする。【解決手段】流量計１は、設けられたスイッチ１１〜１３に対応する処理の実行を無効化した後に、スイッチ１１〜１３による複数の操作を受け付け、その操作の手順を記憶部１６に記憶することで登録し、無効化を解除する登録手段と、スイッチ１１〜１３の１つで操作を受け付けたとき、無効化を実行し、スイッチ１１〜１３による追加操作を表示部１０での表示により要求する要求手段と、追加操作を受け付け、それが上述の手順に合った操作であるか否かを記憶部１６を参照して判定し、手順に合った操作であった場合のみ、スイッチ１１〜１３の１つで受け付けた操作に対応した処理の実行を許可すると共に、無効化を解除する実行許可手段とを備える。【選択図】図１
2009216624.tif 000002
【特許請求の範囲】
【請求項１】
異なる処理を実行させるためにそれぞれ割り当てられた複数のスイッチが設けられ、且つ表示部及び記憶部を備えた流量計であって、
前記設けられたスイッチにそれぞれ割り当てられた処理の実行を無効化した後に、前記設けられたスイッチによる複数の操作を受け付け、該受け付けた複数の操作の手順を前記記憶部に記憶することで登録し、前記無効化を解除する登録手段と、
前記設けられたスイッチの１つで前記割り当てられた処理を実行するための操作を受け付けたとき、前記無効化を実行し、前記設けられたスイッチによる追加操作を、前記表示部での表示により要求する要求手段と、
該要求手段で要求された追加操作を受け付け、該受け付けた追加操作が前記手順に合った操作であるか否かを、前記記憶部を参照して判定し、前記手順に合った操作であった場合のみ、前記設けられたスイッチの１つで受け付けた操作に対応した処理の実行を許可すると共に、前記無効化を解除する実行許可手段とを備えたことを特徴とする流量計。
【請求項２】
前記登録手段は、前記無効化後、前記設けられたスイッチが押下される毎に、該押下されたスイッチ及びその連続押下時間の情報を、押下順に前記記憶部に記憶することで、前記手順を登録することを特徴とする請求項１に記載の流量計。
【請求項３】
前記登録手段は、前記無効化後、前記設けられたスイッチが複数同時に押下された場合、該同時に押下された複数のスイッチ及びその同時連続押下時間の情報を、前記同時に押下された個々のスイッチ及び個々の連続押下時間の情報の代わりに、前記記憶部に記憶することを特徴とする請求項２に記載の流量計。
【発明の詳細な説明】
【技術分野】
【０００１】
本発明は、複数のスイッチを備えた流量計に関する。
【背景技術】
【０００２】
従来から、ガスメータ等の流量計では、流路の遮断などの特定の処理が、第３者によるいたずらで実行されてしまったり誤操作で実行されてしまうことを防止するために、或るスイッチを３回連続で押したときのみ、その特定の処理を実行するなどの対策がとられていた。
【０００３】
例えば、特許文献１には、テストスイッチの操作回数を検出することによって規定の回数に達した時にスイッチを有効にしたり、テストスイッチのオン時間やオフ時間を計測しテストスイッチ操作のタイミングを判定してスイッチを有効にすることによって、単純なオン操作では遮断弁を遮断しないガス遮断制御装置が開示されている。
【特許文献１】特開２０００−２５７７号公報
【発明の開示】
【発明が解決しようとする課題】
【０００４】
しかしながら、特許文献１に記載の技術をはじめとする従来の流量計では、或る特定の処理が第３者によるいたずらや誤操作により実行されてしまうことを防止するための対策として、その特定の処理を実行するための操作をスイッチの３回連続押下などのやや複雑な操作に規定しておくだけであり、その規定の操作が容易に第３者に悟られてしまう恐れがある。さらに、その規定の操作が一旦知られてしまうと、同機種において特定の処理が簡単に実行されてしまう。また、従来の流量計には、検針員が独自にこの規定の操作を設定できるものはない。
【０００５】
本発明は、上述のごとき実状に鑑みてなされたものであり、異なる処理を実行させるためにそれぞれ割り当てられた複数のスイッチを備えた流量計において、スイッチに割り当てられた処理の実行を許可するための追加操作を、第３者によって容易に悟られる可能性を減らし、もって第３者によるいたずらや誤操作によりその割り当てられた処理が実行されてしまうことを防止することを、その目的とする。
【課題を解決するための手段】
【０００６】
上述のごとき課題を解決するために、本発明の第１の技術手段は、異なる処理を実行させるためにそれぞれ割り当てられた複数のスイッチが設けられ、且つ表示部及び記憶部を備えた流量計であって、前記設けられたスイッチにそれぞれ割り当てられた処理の実行を無効化した後に、前記設けられたスイッチによる複数の操作を受け付け、該受け付けた複数の操作の手順を前記記憶部に記憶することで登録し、前記無効化を解除する登録手段と、前記設けられたスイッチの１つで前記割り当てられた処理を実行するための操作を受け付けたとき、前記無効化を実行し、前記設けられたスイッチによる追加操作を、前記表示部での表示により要求する要求手段と、該要求手段で要求された追加操作を受け付け、該受け付けた追加操作が前記手順に合った操作であるか否かを、前記記憶部を参照して判定し、前記手順に合った操作であった場合のみ、前記設けられたスイッチの１つで受け付けた操作に対応した処理の実行を許可すると共に、前記無効化を解除する実行許可手段とを備えたことを特徴としたものである。
【０００７】
第２の技術手段は、第１の技術手段において、前記登録手段は、前記無効化後、前記設けられたスイッチが押下される毎に、該押下されたスイッチ及びその連続押下時間の情報を、押下順に前記記憶部に記憶することで、前記手順を登録することを特徴としたものである。
【０００８】
第３の技術手段は、第２の技術手段において、前記登録手段は、前記無効化後、前記設けられたスイッチが複数同時に押下された場合、該同時に押下された複数のスイッチ及びその同時連続押下時間の情報を、前記同時に押下された個々のスイッチ及び個々の連続押下時間の情報の代わりに、前記記憶部に記憶することを特徴としたものである。
【発明の効果】
【０００９】
本発明によれば、異なる処理を実行させるためにそれぞれ割り当てられた複数のスイッチを備えた流量計において、スイッチに割り当てられた処理の実行を許可するための追加操作を、第３者によって容易に悟られる可能性を減らし、もって第３者によるいたずらや誤操作によりその割り当てられた処理が実行されてしまうことを防止することが可能になる。
【発明を実施するための最良の形態】
【００１０】
図１は、本発明の流量計の一構成例を示す図、図２は、図１の流量計の本体表面の概略を示す図で、図中、１は流量計である。以下、図１及び図２で例示する流量計１がマイクロコンピュータ（マイコン）式ガスメータであることを前提に説明するが、水道メータ等、流量を測定するメータであればよい。
【００１１】
図１で例示する流量計１は、一般的なマイコン式ガスメータと同様に、制御部１５、表示部１０、記憶部１６、電池、ガス流量を測定する流量センサ、ガス遮断弁、感震器、通信インターフェースなどを備え、マイコンでなる制御部１５でその全体が制御される。
【００１２】
表示部１０は、制御部１５にて流量センサからの流量値を積算した結果や、各種警報、ガス遮断状態などを表示する。記憶部１６は、積算結果や流量計１における各種設定値を、必要に応じて制御部１５から読み出し可能に記憶する。流量計１は、電文設定器等の入力装置を接続することで、流量等の演算のための各種設定値などを制御部１５に取り込み、記憶部１６等に記憶することが可能となる。
【００１３】
また、流量計１には、使用者が操作可能に複数のスイッチが設けられ、各スイッチの押下操作を検出し制御部１５へ出力する検出部１４も設けられている。図１及び図２の例では、スイッチをスイッチI（１１）、スイッチII（１２）、及びスイッチIII（１３）の３つ設けた例を示しているが、複数設置されていればよく、その配置も図２の例に限ったものではない。各スイッチは、それぞれが異なる処理を実行させるために割り当てられている。例えば、スイッチ１１〜１３は、それぞれ、流路の閉弁制御（テスト遮断制御）、流路の開弁制御（復帰制御）、ガス容器リセットを実行させるための実行スイッチとしてそれぞれ割り当てておく。
【００１４】
本発明の主たる特徴として、流量計１は、次の登録手段、要求手段、及び実行許可手段を備える。登録手段は、設けられたスイッチ１１〜１３にそれぞれ割り当てられた処理の実行を無効化した後に、設けられたスイッチ１１〜１３による複数の操作を受け付け、受け付けた複数の操作の手順（以下、所定操作パターンという）を記憶部１６に記憶することで登録し、そして無効化を解除する。登録手段は、所定操作パターンを記憶部１６に設定するため、設定手段とも言う。図１の構成例では、登録手段は、スイッチ１１〜１３、検出部１４、制御部１５、及び記憶部１６によって実現している。ここで、制御部１５が、スイッチ１１〜１３にそれぞれ割り当てられた処理を無効化し、スイッチ１１〜１３から検出部１４を介して受けた所定操作パターンを記憶部１６に登録する処理を行って、無効化を解除する。
【００１５】
要求手段は、設けられたスイッチ１１〜１３の１つで操作（つまり割り当てられた処理を実行するための操作、以下、「割当操作」という）を受け付けたとき、上述の無効化を実行し、設けられたスイッチ１１〜１３による追加操作を、表示部１０での表示により要求する。図１の構成例では、要求手段は、スイッチ１１〜１３、検出部１４、表示部１０、及び制御部１５によって実現している。ここで、制御部１５が、割当操作を検出部１４経由でスイッチ１１〜１３のいずれかから受け付けたときに、上述の無効化を実行し、記憶部１６や内蔵ＲＯＭ等に予め格納された要求画面を表示するよう表示部１０に指示し、表示部１０がその要求画面を表示することで、使用者に対して追加操作の要求を行う。
【００１６】
要求画面としては、例えば「この処理を実行するために、追加で登録済みの操作を行ってください。」などと具体的に表示させてもよいが、最初の割当操作だけでは処理を実行していないことを示す表示（例えば何かの記号を点滅させるなど）だけでもよい。流量計１の使用者としては、ガス使用者とガス業者側の使用者（検針員）が居るが、この要求は、ガス使用者や第３者に判別できるような表示である必要は全くなく、ガス業者側の使用者が判別できる表示であればよい。また、要求画面の表示に限らず、表示部１０は、制御部１５の指示により、流量計本体が現在どのような状態にあるかを表示することが好ましい。
【００１７】
実行許可手段は、要求手段で要求された追加操作を受け付け、受け付けた追加操作が所定操作パターンに合った操作であるか否かを、記憶部１６を参照して判定し、所定操作パターンに合った操作であった場合のみ、設けられたスイッチ１１〜１３の１つで受け付けた割当操作に対応した処理の実行を許可する。これにより、割当操作に対応した処理が実行されることになる。また、実行許可手段は、この許可と共に上述の無効化も解除する。
【００１８】
図１の構成例では、実行許可手段は、スイッチ１１〜１３、検出部１４、記憶部１６、及び制御部１５によって実現している。ここで、制御部１５が、スイッチ１１〜１３から検出部１４を介して追加操作を受け付け、受け付けた追加操作を記憶部１６の所定操作パターンと照合して、一致した場合のみ、追加操作の前に受け付けた割当操作に対応した処理を許可する。そして、制御部１５がその割当操作に対応した処理を実行するよう、その処理に必要な各部を制御する。この許可と共に、制御部１５は上述の無効化も解除することで、次の割当操作を受け付ける状態にしておく。
【００１９】
本発明では、規定のスイッチ操作（割当操作）を行ったときに、追加操作を求めて、登録済みの手順（所定操作パターン）に合った操作であった場合のみその割当操作を有効として、その割当操作に対応する処理を実行する。そして、本発明では、その所定操作パターンは任意のものを設定登録しておくことができるため、その所定操作パターンが第３者によって容易に悟られる可能性を減らし、もって第３者によるいたずらや誤操作によりその割当操作に対応する処理が実行されてしまうことをより防止することが可能になる。つまり、本発明では、流量計の流路の遮断やガスボンベの容器リセットなどの操作が、いたずらや誤操作によって行われても処理を実行しないようにするために任意の追加操作として、所定のスイッチを２回押す必要があるなどの、第３者に容易に分かりそうな対策ではなく、検針員が自由に思いのまま、第３者に悟られないような任意の操作手順を所定操作パターンとして設定登録できるので、セキュリティ面の向上が図れる。
【００２０】
さらに、本発明では、登録した所定操作パターンがもし第３者に知られてしまっても、所定操作パターンは流量計毎に設定登録できるため、同種であっても他の流量計への被害の拡大を防ぐことができる。また、本発明では、要求手段により、設定登録済みの任意の追加操作（所定操作パターン）入力要求中であることが、検針員には明確に分かり、各スイッチ本来の役割も失われているので、安心して入力操作を行うことができる。
【００２１】
次に、上述のごとき流量計１における登録処理の一例、並びに割当操作に対応する処理（以下、割当操作対応処理という）の一例について、その流れを図３〜図６を参照しながら説明する。
【００２２】
図３は、図１及び図２で示した流量計の表示部での表示例を示す図、図４は、図１及び図２で示した流量計において所定操作パターン登録時の操作の一例を説明するための図、図５は、図１及び図２で示した流量計における登録処理の一例を説明するためのフロー図、図６は、図１及び図２で示した流量計における割当操作対応処理の一例を説明するためのフロー図である。
【００２３】
まず、図５の流れに沿って、登録処理例を説明する。まず、制御部１５は検出部１４を介した学習モードへの移行操作を待つ（ステップＳ１）。検針員がスイッチ１１〜１３のいずれか１又は複数を用いて、学習モードへの移行操作を行ったとき、制御部１５は検出部１４を介したこの移行操作を受け付ける（ステップＳ１でＹＥＳ）。移行操作がなされないときには待機しておけばよい。移行操作の方法は、予め設定されていればよく、ここでは一例として、図２に示す流量計１本体表面にあるスイッチI（１１）を押すことで学習モードへ移行することとする。
【００２４】
但し、学習モードへのスイッチによる移行が可能なのは、１回目（初回）のみとする。何度もスイッチによって簡単に移行できれば第３者にとっても同じことになるからである。従って、ステップＳ１で移行操作を受け付けた後に、制御部１５はそれが初回操作か否かを判定し（ステップＳ２）、初回操作でなければ処理を終了する。なお、２回目以降に学習モードへ移行する必要が生じたときにも対応できるように、電文設定器等を流量計１に接続して、その電文設定器から移行可能な構成としておくとよい。
【００２５】
一方、ステップＳ２でＹＥＳの場合（初回操作であったとき）には、学習モードへ移行する（ステップＳ３）。学習モードへの移行は、制御部１５が、スイッチ１１〜１３にそれぞれ割り当てられた処理を無効化し、検針員から所定操作パターンを受け付け可能な状態にすることで行う。このように、学習モードに入ると、各スイッチ１１〜１３は本来の役割を失うものとし、所定操作パターンの設定用のみとして機能する。また、制御部１５は、表示部１０に、現在の動作モードが学習モードであることが分かるように何らかの表示を行うことが好ましい。例えば、図３（Ａ）に示すように表示部１０のアルファベット表示部１０ａを全て表示し点滅させたりしてもよい。
【００２６】
続いて、学習モードにおいて（ステップＳ５で学習モードが解除されるまで）、制御部１５は、スイッチ１１〜１３から検出部１４を介して受け付けた複数の操作の手順（任意の操作手順）を、所定操作パターンとして記憶部１６に登録する（ステップＳ４）。
【００２７】
より具体的には、学習モードにおいて、検針員が各スイッチ１１〜１３を様々なパターンで押し、任意の操作手順の入力を行い、押下操作がなされる度にその押下時間の情報と共に順番に記憶部１６に記憶していき、学習モードが解除された時点で所定操作パターンが完成するようにすればよい。すなわち、上述した登録手段は、無効化後、設けられたスイッチ１１〜１３のいずれかが押下される毎に、押下されたスイッチ及びその連続押下時間の情報を、押下順に記憶部１６に記憶することで、所定操作パターンを登録するとよい。このようにして登録された所定操作パターンは、押すスイッチ、押す時間の情報、押す回数、押す順序などで特定される一連のパターンとなる。押すスイッチは、このようにスイッチI（１１），II（１２），III（１３）の３つのうちいずれかとすればよく、また、押す回数として説明したように、各スイッチ１１〜１３は何回でも押せるものとする。但し、全スイッチ１１〜１３での総押下回数に制限を設けておいてもよいし、最初の押下時又は学習モード開始時からの時間、つまり押下に要する時間に、例えば５秒間などと制限を設けておいてもよい。
【００２８】
また、押す時間の情報は、押された時間そのものを登録してもよいが、例えば０.５秒以上と０.５秒未満の２パターンなどに分類し、長押しか短押しのいずれかで登録するなど時間を示す情報で登録すればよい。図４を参照して、各スイッチ１１〜１３による所定操作パターン登録時の操作の一例を説明する。検針員が、図４に示すように、スイッチI（１１）を０.４秒、スイッチII（１２）を１秒、スイッチIII（１３）を０.２５秒、スイッチIII（１３）を０.８秒、の順で各スイッチ１１〜１３を押したものとする。この場合、制御部１５は、この検出結果を受けて、「スイッチI＿０.５秒未満」→「スイッチII＿０.５秒以上」→「スイッチIII＿０.５秒未満」→「スイッチIII＿０.５秒以上」と順番に押したものとみなし、そのような所定操作パターンを登録する。
【００２９】
但し、検針員が自分で何秒押したか分からない場合があるため、表示部１０の所定の位置に何秒押したかが分かるように表示してもよい。例えば、０.５秒未満を‘０’（短押し）とし、０.５秒以上を‘１’（長押し）とすることによって、各スイッチを押す毎に、その押した時間の情報を‘０’か‘１’の記号で補助的に表示してもよい。例えば、図３（Ｂ）に示すように、表示部１０の積算値表示部１０ｂに、スイッチを押した時間の情報を記号で表示してもよい。なお、積算値表示部１０ｂは、通常別途設けられている積算値を表示するためのカウンタとは異なり、例えば月別や流量区分別の積算値なども表示可能となっている表示領域で、第２カウンタ部とも呼ばれる。また、このような押下時間を視認させるような補助的な表示処理とは独立の表示処理として、或いは併用した表示処理として、押下したスイッチが確認できるような補助表示を行ってもよい。例えば、スイッチII（１２）の押下時にはアルファベット表示部１０ａで「Ｂ」のみ点灯させるなど、アルファベット表示部１０ａで各丸枠内のアルファベットを、押下されたスイッチに対応して表示するなどすればよい。また、このような２種類の補助表示を併用させる場合には、例えば押下されたスイッチがスイッチI（１１）であればアルファベット表示部１０ａで「Ａ」のみを、押し時間分点灯させるなどしてもよい。
【００３０】
また、登録手段は、無効化後、設けられたスイッチ１１〜１３のうちの複数が同時に押下された場合、同時に押下された複数のスイッチ及びその同時連続押下時間の情報を、「同時に押下された個々のスイッチ及び個々の連続押下時間の情報」の代わりに、記憶部１６に記憶することが好ましい。これにより、複数のスイッチの同時押しに対して、要求後の追加操作時の入力の精度が緩和される。つまり、通常、同時押しは１つのスイッチを押下し、そのままの状態を保ちながら別の指で他のスイッチを押下するが、その個々のタイミングまで所定操作パターンとして登録すると、実際に追加操作が要求されたときに入力する際、個々のタイミングまで再現し難い。しかし、同時に押下された複数のスイッチ及びその同時連続押下時間の情報を、手順に含まれる１つの操作として登録しておくことで、個々のタイミングやどちらを先に押下するかまで再現する必要無く、同時押しの事実だけ覚えておけばよいため、登録した所定操作パターンを再現し易く、また忘れ難くなる。
【００３１】
検針員は、所定操作パターンの登録が終われば、学習モードの解除操作を行う。制御部１５は、学習モード中、その解除操作を検出部１４経由で待つ（ステップＳ５）。解除操作の手段としては、予め設定されたものであればよく、例えば、３つのスイッチ１１〜１３を同時押しする、３つのうちのどれか２つを同時押しするなどが考えられる。その他、上述したように、全スイッチ１１〜１３での総押下回数に制限を設けたり、押下に要する時間に制限を設けたり（タイムアウト方式）しておき、学習モードを自動的に解除するようにしてもよい。また、押下に要する時間が、最初の押下時又は学習モード開始時からの時間（例えば５秒間）であることを前提としたが、最後に押下されてからの時間が例えば２秒経過した時点で自動的に学習モードを解除してもよい。
【００３２】
解除操作を学習モードからの解除のトリガとする例で、続きを説明する。ステップＳ５でＹＥＳとなったとき、制御部１５は、ステップＳ３で実行した無効化を解除することで、通常モードへ移行する（ステップＳ６）。ここでも、制御部１５は、現在の動作モードが通常モードに戻ったことが分かるような表示を行うよう、表示部１０に指示することが好ましい。例えば、学習モード表示前の通常モード表示状態に戻ってもよい。
【００３３】
以上により、検針員が自由に思いのままの任意の操作手順を所定操作パターンとして設定登録できる。なお、ステップＳ２に関して補足したように、電文設定器等により再び学習モードから開始し、一から所定操作パターンを設定し直すことを可能に構成しておくことが好ましく、このような構成により、登録した所定操作パターンを検針員が忘れたときにも対処できる。再登録では、前回と同じ所定操作パターンで登録してもよいし、別の所定操作パターンで登録してもよい。また、流量計１は、上述のごとき追加操作の要求（所定操作パターンの要求）自体の有効／無効を設定できるように構成してもよい。このような構成を採用することにより、流量計１を設置する業者が、追加操作の要求を行う／行わないを設定できるため、追加操作の入力の手間といたずらの度合いとを考慮して業者の考えに基づき流量計１の検針等が可能となる。さらに、いたずらされやすい場所に設置された流量計１にだけ、追加操作の要求を行うような設定を行うこともできる。
【００３４】
次に、図６の流れに沿って、登録した所定操作パターンを活用した割当操作対応処理例を説明する。まず、ステップＳ６の処理後の通常モードにおいて、制御部１５は、流路の遮断を行うなど追加操作を要するような重要な機能に関するスイッチ（スイッチ１１〜１３のいずれか）の押下を待つ（ステップＳ１１）。このように、本発明で追加操作を必要とする処理に割り当てられたスイッチは流量計１に複数設けられたうちの１つであってもよい。
【００３５】
ステップＳ１１でＹＥＳの場合、つまり重要な割当操作が行われると、制御部１５は、割当操作対応処理を無効化する（ステップＳ１２）。つまり、もし１つの割当操作後の時点でさらに割当操作（スイッチの押下操作）があっても割り当てられた処理を実行せずに無視する。この無効化により、ステップＳ１３の状態からステップＳ１７までは、各スイッチ本来の役割は一切失うものとする。
【００３６】
ステップＳ１２に続き、制御部１５は、表示部１０を制御して、追加操作を要求（実際には登録済みの所定操作パターンを要求）するための追加操作入力要求の表示を行う（ステップＳ１３）。このとき、追加操作入力要求状態にあることを、通常の状態と区別が付くように表示部１０に明示することが好ましい。例えば、図３（Ａ）のアルファベット表示部１０ａのアルファベットを左から順番に点灯していくなどが考えられる。
【００３７】
次に、制御部１５は、所定期間（例えば５秒間）内に追加操作を受け付けたか否かを判定し（ステップＳ１４）、所定期間を経過しても追加操作が受け付けられなかった場合、ステップＳ１８へ進んで、ステップＳ１２で実行した無効化を解除して処理を終了する。一方、所定時間内に追加操作が受け付けられた場合（ステップＳ１４でＹＥＳの場合）には、制御部１５は、追加操作として入力された結果と、記憶部１６に登録済みの所定操作パターンとを照合し（ステップＳ１５）、照合結果を一致か不一致に分ける（ステップＳ１６）。なお、図６では処理を簡略化して示しているが、ステップＳ１５での照合を、使用者の追加操作の一つがなされる度に実行し、不一致無く照合が完了するまでに所定時間が経過していないか経過してしまったかにより、ステップＳ１４の判定を行うとよい。より好ましい照合手順としては、ステップＳ１４，Ｓ１５での照合を、使用者の追加操作が一通り終えて解除操作を行ったときに実行するか、又はタイムアウトまでに受け付けた使用者の追加操作時に対して実行すればよい。つまり、一通りの追加操作の入力が完了してから解除操作時やタイムアウト時に、一通りの追加操作と登録済みの所定操作パターンとを一括で照合してもよい。
【００３８】
また、所定操作パターンの登録時に長押しか短押しかの区分けを採用した場合には、登録時にスイッチI（１１）を０.４秒として押されているからといって、必ずしも丁度０.４秒間の押下する必要があるわけではなく、スイッチI（１１）が０.５秒未満の間隔で押されればその入力は正しいと認識すればよい。また、所定操作パターンの登録時に押下時間の情報として、押下時間そのものを登録した場合でも、ステップＳ１５での照合時に、登録した押下時間の前後数秒など、幅を持たせて入力が正しいか否かを判定すればよい。また、登録処理で説明したように、ステップＳ１４においても、検針員が自分で何秒押したか分からない場合があるため、表示部１０の所定の位置に何秒押したかが分かるようにしてもよい。
【００３９】
ステップＳ１５での照合の結果、一致した場合（ステップＳ１６でＹＥＳの場合）、目的としている処理、すなわちステップＳ１１で受け付けた割当操作に対応する処理（テスト遮断等）を実行する（ステップＳ１７）。そして、ステップＳ１２で実行した無効化を解除し（ステップＳ１８）、処理を終了する。ステップＳ１５での照合の結果、一致しなかった場合（ステップＳ１６でＮＯの場合）、ステップＳ１７を飛ばしてステップＳ１８へ進む。
【００４０】
また、制御部１５は、ステップＳ１６でＹＥＳの場合、表示部１０を制御して、一致していることが分かるような表示を通常の状態と区別が付くように行うことが好ましい。例えば、図３（Ａ）のアルファベット表示部１０ａのアルファベットを全点灯させるなどである。ステップＳ１６でＮＯの場合、つまり入力結果が間違っていれば、ステップＳ１８へ進むとよい。
【００４１】
以上により、スイッチを操作しても、そのスイッチに対応する処理を実行するためには、第３者によって容易に悟られる可能性が少ない所定操作パターンを追加操作として必要とするため、第３者によるいたずらや誤操作によりその処理が実行されてしまうことを防止することができる。
【図面の簡単な説明】
【００４２】
【図１】本発明の流量計の一構成例を示す図である。
【図２】図１の流量計の本体表面の概略を示す図である。
【図３】図１及び図２で示した流量計の表示部での表示例を示す図である。
【図４】図１及び図２で示した流量計において所定操作パターン登録時の操作の一例を説明するための図である。
【図５】図１及び図２で示した流量計における登録処理の一例を説明するためのフロー図である。
【図６】図１及び図２で示した流量計における割当操作対応処理の一例を説明するためのフロー図である。
【符号の説明】
【００４３】
１…流量計、１０…表示部、１０ａ…アルファベット表示部、１０ｂ…積算値表示部、１１…スイッチI、１２…スイッチII、１３…スイッチIII、１４…検出部、１５…制御部、１６…記憶部。
【図１】
2009216624.tif 000003
【図２】
2009216624.tif 000004
【図３】
2009216624.tif 000005
【図４】
2009216624.tif 000006
【図５】
2009216624.tif 000007
【図６】
2009216624.tif 000008